(57)【要約】  【課題】  本発明の目的は、中古車の展示スペースを必要とせず、展示場及び展示車の維持管理の負担をなくし、展示場や展示車を管理する人件費、先行投資の金利負担、保険負担及び展示車の価格の下落などの経済的負担をなくした、顧客への中古車の提供方法を得ることにある。  さらに、顧客が中古車の入札代理業務に対する不安感や不信感を持つことなく、かつ、ＰＲ効果の高い中古車の入札代理事務所１及び入札代理方法を得ることにある。  【解決手段】  顧客が落札を希望する中古車に対する希望条件を入手して、オークションデータの中にある出品車リストのデータの中から顧客の希望条件と一致する中古車の情報を抽出し、顧客の選定した中古車のオークションにおいて入札し、これを落札する入札代理方法とする。  また、中古車ネットワーク１２に接続可能なコンピュータ２、入札端末３、大型モニター４、観客席５、依頼伝票８及び大型の窓６を有する入札代理事務所１とする。【選択図】              図３
2005316796.tif 000002
【特許請求の範囲】
【請求項１】
中古車のオークション会場を衛星回線やインターネットなどの電気通信回線で結んだネットワーク（以下単に「中古車ネットワーク」という。）に接続したコンピュータと入札端末を使用した、中古車のオークションに対する入札代理方法であって、
顧客が落札を希望する中古車の車名、グレード、年式、シフト、車体の色、走行距離の情報（以下単に「希望条件」という。）及び顧客の予算の情報を顧客から入手するステップと、オークションデータの中にある出品車のデータの中から顧客の希望条件に合う中古車の情報を抽出するステップと、抽出した前記情報を顧客に提供するステップと、顧客の選択した中古車のオークションにおいて入札するステップとからなる入札代理方法。
【請求項２】
中古車ネットワークに接続したコンピュータと入札端末を使用した、中古車のオークションに対する入札代理方法であって、
希望条件を顧客から入手するステップと、オークションデータの中にある出品車のデータの中から顧客の希望条件に合う中古車の情報を抽出するステップと、抽出した前記情報を顧客に提供するステップと、顧客の選定した中古車のオークションについて、競りの実況中継を行い顧客の観察のもと、前記オークションにおいて入札するステップとからなる入札代理方法。
【請求項３】
中古車のオークションに対する入札代理事業に使用する事務所であって、中古車ネットワークに接続可能なコンピュータと入札端末を有し、競りの進行状況を実況中継するための大型モニター、及び、前記大型モニターに表示された競りの進行状況を顧客が観察する観客席を設けたことを特徴とする入札代理事務所。
【請求項４】
請求校３に記載した入札代理事務所であって、競りの進行状況を実況中継するモニター及び前記モニターを観察する顧客の様子を、外部の通行人に見せるための大型の窓を設けたことを特徴とする入札代理事務所。
【請求項５】
中古車のオークションに対する入札代理事業に使用する伝票であって、顧客の希望条件、顧客の予算の情報及び顧客の氏名、住所並びに電話番号に関する情報を記載する欄を設けたことを特徴とする依頼伝票。
【請求項６】
請求項１又は請求項２のいずれかに記載した入札代理方法であって、請求項５に記載した依頼伝票を使用して、顧客から希望条件を入手することを特徴とした入札代理方法。
【請求項７】
請求項３又は請求項４のいずれかに記載した入札代理事務所を使用して行う入札代理方法であって、請求項１乃至請求項２のいずれかに記載した入札代理方法。
【発明の詳細な説明】
【技術分野】
【０００１】
本発明は、中古車の購入を希望する顧客の依頼を受けて、中古車オークションに対する入札を代理する事業に適した入札代理方法、及び入札代理事務所に関する。
【背景技術】
【０００２】
現在では、全国の多数のオークション会場で中古車のオークションが行われており、各オークション会場は衛星回線やインターネットなどの電気通信回線で結ばれネットワーク（以下単に「中古車ネットワーク」という。）を構成している。
中古車ネットワークのデータベースにはオークション会場のデータ、オークションに出品する出品車のデータ、各出品車の競りが行われる日時とオークション会場及び出品番号のデータ、各出品車毎の車両状況説明書のデータ、過去の落札価格データなどを蓄積して会員に公開している。
中古車ネットワークのデータベースの車両状況説明書には、各出品車毎に出品番号、車名、グレード、排気量、年式、シフト、次期車検月、走行キロ数、車体の色などのデータ及び各中古車オークションの主催者に属する検査員が評価した評価点などが記録されているため、データーベースの情報をチェックすることにより実際に点検しなくても出品車の状況を把握することができる。
中古車ネットワークの会員である中古車の販売業者は、オークション会場に出かけ出品車を点検しオークション会場の入札端末を使用して入札したり、あるいは自己のコンピュータ及び入札端末を中古車ネットワークに連結し、中古車ネットワークのデータベースの情報をダウンロードして入札する中古車並びに入札価格の決定及び入札を行っていた。
そして従来の中古車の販売業者は、中古車ネットワークで落札した多数の中古車を店頭に展示して顧客に販売する事業を行っていた。
かかる中古車の仕入れと販売方法では、中古車を展示するために広いスペースが必要となり、展示場をきれいな状態に維持するための展示スペースや展示車のクリーニング、展示車が盗難にあったり、傷を付けられたり、ガラスを割られたりすることを防ぐなどの維持管理の負担が大きく、さらに、展示車を管理する人件費の負担や、展示車に対する先行投資の金利負担や、展示車の保険負担及び月日の経過と共に展示車の価格が下落するなどの経済的負担が過大になる問題を有していた。
【発明の開示】
【発明が解決しようとする課題】
【０００３】
本発明は、上記した従来技術の有する欠点を除くためになされたもので、その目的とするところは、従来の中古車の仕入れと販売方法の有する、中古車を展示するために広いスペースが必要となる問題をなくし、中古車の展示スペースを必要としない顧客への中古車の提供方法を得ることにある。
また、従来の中古車の仕入れと販売方法の有する、展示場をきれいな状態に維持するための展示スペースや展示車のクリーニング、展示車が盗難にあったり、傷を付けられたり、ガラスを割られたりすることを防ぐなどの維持管理の負担が大きい問題をなくし、かかる負担のない顧客への中古車の提供方法を得ることにある。
また、展示車を管理する人件費の負担や、展示車に対する先行投資の金利負担や、展示車の保険負担及び月日の経過と共に展示車の価格が下落する、などの経済的負担をなくした顧客への中古車の提供方法を得ることにある。
さらに、単にコンピュータ及び入札端末を中古車ネットワークに接続して、中古車オークションに対する入札を代理する事業を実施したときに、顧客が持つと予測される中古車の入札代理業務に対する不安感や不信感をなくし、かつ、ＰＲ効果の高い中古車の入札代理方法及び入札代理事務所を得ることにある。
【課題を解決するための手段】
【０００４】
本発明は、顧客が落札を希望する中古車の車名、グレード、年式、シフト、車体の色、走行距離の情報（以下単に「希望条件」という。）及び顧客の予算の情報を顧客から入手して、オークションデータの中にある出品車のデータの中から顧客の希望条件に合う中古車の情報を抽出し、抽出した前記情報を顧客に提供し、顧客の選択した中古車のオークションに対して入札して顧客の求める中古車を落札する入札代理方法とする。
希望条件に合う中古車を抽出するときには、希望条件とすべて一致する場合を優先し、さらに、希望条件の１部に一致しない部分があるがその違いが僅かである場合及び顧客がその違いを重視しない場合まで含めることができる。
また、そのような入札代理方法に適した事務所であって、中古車ネットワークに接続可能なコンピュータと入札端末を有し、競りの進行状況を実況中継するための大型モニターと、前記大型モニターに表示された競りの進行状況を顧客が観察する席を設けた入札代理事務所とする。さらに大型の窓を設け、前記大型モニターに表示された競りの状況とこれを顧客が観察する姿を、通行人が外から見ることを可能とした入札代理事務所とする。
さらに、中古車のオークションに対する入札代理事業に使用する伝票であって、顧客の希望条件及び顧客の氏名、住所並びに電話番号に関する情報を記載する欄を設けたことを特徴とする依頼伝票とする。
中古車の入札代理業者は本発明にかかる入札代理業務を行い、落札した中古車の登録手続きを行った後に顧客に引き渡し、対価として手数料を申し受ける事業を行う。
【発明の効果】
【０００５】
本発明は上記のように、顧客の依頼に応じて入札の代理を行い、落札した中古車を顧客に引き渡す方法としたので、展示スペースを必要としない中古車の顧客への提供方法を得ることができた。
また、従来の中古車の仕入れと販売方法の有する、展示場をきれいな状態に維持するための展示スペースや展示車のクリーニング、展示車が盗難にあったり、傷を付けられたり、ガラスを割られたりすることを防ぐなどの維持管理の負担のない、顧客への中古車の提供方法を得ることができた。
また、展示車を管理する人件費の負担や、展示車に対する先行投資の金利負担や、展示車の保険負担及び月日の経過と共に展示車の価格が下落するなどの経済的負担をなくした、顧客への中古車の提供方法を得ることができた。
さらに、単にコンピュータ及び入札端末を中古車ネットワークに接続して、中古車オークションに対する入札を代理する事業を実施したときに、顧客が持つと予測される中古車の入札代理業務に対する不安感や不信感をなくし、かつ、ＰＲ効果の高い中古車の入札代理方法及び入札代理事務所を得ることができた。
【発明を実施するための最良の形態】
【０００６】
請求項１の発明は、中古車ネットワークに接続したコンピュータと入札端末を使用した、中古車のオークションに対する入札代理方法であって、顧客の希望条件及び顧客の予算の情報を顧客から入手するステップと、オークションデータの中にある出品車のデータの中から顧客の希望条件に合う中古車の情報を抽出するステップと、抽出した前記情報を顧客に提供するステップと、顧客の選択した中古車のオークションにおいて入札するステップとからなる入札代理方法とする。
顧客からは希望情報として上記希望条件以外に排気量、４ドアや５ドアなどのドア形式、ハートップ又はセダンなどの情報、ナビゲーションやテレビの装備、ＣＤやＭＤなどオーディオの装備などの情報を得ることが好ましい。
情報の入手に際しては請求項５に記載した伝票を使用して、これに顧客から得た情報を記載する方法又はコンピュータのモニターに入力欄を表示して、キーボードなどの入力装置を使用して入力する方法が好ましい。
オークションデータの中にある出品車のデータの中から顧客の希望条件に合う中古車の情報を抽出する場合には車名、グレード、年式、シフト、車体の色、走行距離の情報をキーワードとしてすべてが一致する中古車を抽出する。すべてが一致する中古車がない場合は違いが僅かである中古車又は顧客がその違いについて重視しない中古車を抽出する。
そして、同等の中古車の最近の落札価格データに対し過去における落札経験を加味して判断して、顧客の予算から手数料や登録費用などの必要経費を除いた金額（以下単に「顧客希望金額」という。）で落札する可能性のある出品車があれば、これらのデータを顧客に連絡してどの出品車に入札するか顧客の選択を求める。
一方、顧客希望金額で落札の可能性のある出品車がなければ、顧客の希望情報の変更を求め再度オークションデータの中にある出品車のデータの中から顧客の希望条件に合う中古車の情報を抽出する。
このような作業を行い顧客が落札を希望する中古車を選択した場合に、当該中古車のオークションに入札する。１回の入札で落札した場合は、落札した中古車の登録手続きを行った後に顧客に引き渡し、対価として手数料を申し受ける。落札が不成功に終わった場合はさらに上記を繰り返す。
【０００７】
請求項２の発明は、中古車ネットワークに接続したコンピュータと入札端末を使用した、中古車のオークションに対する入札代理方法であって、希望条件を顧客から入手するステップと、オークションデータの中にある出品車のデータの中から顧客の希望条件に合う中古車の情報を抽出するステップと、抽出した前記情報を顧客に提供するステップと、顧客の選定した中古車のオークションについて、競りの実況中継を行いながら顧客の観察のもと、前記オークションにおいて入札するステップとからなる入札代理方法とする。
本発明は請求項１の発明に対して、競りの実況中継を行うことにより顧客の観察のもと、顧客の求める中古車のオークションに対して入札する点で異なる。
本発明は、顧客の観察のもとにおいて入札をすることにより、顧客に見えない状態で入札した場合に顧客が持つと予測される、中古車の入札代理業務に対する不安感や不信感をなくすことを可能としたものである。  
請求項３の発明は、中古車のオークションに対する入札代理事業に使用する事務所であって、中古車ネットワークに接続可能なコンピュータと入札端末を有し、競りの進行状況を実況中継するための大型モニター、及び、前記大型モニターに表示された競りの進行状況を顧客が観察する観客席を設けたことを特徴とする入札代理事務所とする。
本発明は、顧客の求める中古車のオークションを実況中継する大型モニターと、顧客が前期実況中継を観察する観客席を設け、顧客の観察のもと入札することを可能にするものである。
請求項４の発明は、請求項３に記載した入札代理事務所であって、競りの進行状況を実況中継するモニター及び前記モニターを観察する顧客の様子を、外部の通行人に見せるための大型の窓を設けたことを特徴とする入札代理事務所とする。
本発明は事務所に大型の窓を設け、競りの進行状況を実況中継するモニター及び前記モニターを観察する顧客の様子を外部の通行人に見せ、入札代理業務を公明正大に行っていること及び中古車の入札代理業務について通行人が一目で理解できる事務所とすることにより、興味を持った通行人の口コミによるＰＲ効果の高い中古車の入札代理事務所としたものである。
【０００８】
請求項５の発明は、中古車のオークションに対する入札代理事業に使用する伝票であって、顧客の希望条件及び顧客の氏名、住所並びに電話番号に関する情報を記載する欄を設けたことを特徴とする依頼伝票とする。
本発明にかかる依頼伝票には、顧客の希望条件の他に排気量、４ドアや５ドアなどのドア形式、ハートップ又はセダンなどの情報、ナビゲーションやテレビの装備、ＣＤやＭＤなどオーディオの装備などの情報を含めた希望情報をすべて記入するように構成することが好ましい。
本発明は、請求項１又は請求項２の発明を実施するときに有用な伝票を提供するものである。
請求項６の発明は、請求項１又は請求項２のいずれかに記載した入札代理方法であって、請求項５に記載した依頼伝票を使用して、顧客から希望条件を入手することを特徴とした入札代理方法とする。
本発明は、有用な依頼伝票を使用して行う入札代理方法を提供するものである。
請求項７の発明は、請求項３又は請求項４のいずれかに記載した入札代理事務所を使用して行う入札代理方法であって、請求項１乃至請求項２のいずれかに記載した入札代理方法とする。
本発明は、有用な入札代理事務所を使用して行う入札代理方法を提供するものである。
【実施例１】
【０００９】
以下本発明の実施例１の構成を図１及び図２に、入札代理方法の各ステップを図３に、使用した伝票を図４にそれぞれ示し説明する。実施例１にかかる中古車ネットワーク１２は電気通信回線で各地のオークション会場１１と連結し、各中古車業者１３はそれぞれ中古車ネットワーク１２の会員となって、各地のオークション会場１１で行われる中古車のオークションに入札している。
本発明にかかる入札代理事務所１は出入口７を入ると右側にコンピュータ２と入札端末３をそれぞれ２式有し、中古車ネットワーク１２にアクセスして中古車ネットワーク１２のデータベースのデータをダウンロードしたり、各地のオークション会場１１で行われているオークションに入札する構成となっている。
さらに、出入口７の左側には大型モニター４と複数の椅子をおいた観客席５を設け、さらに、大型モニター４と観客席５の様子を外から見ることができる位置に大型の窓６を設けた入札代理事務所１とした。
入札代理事務所１は依頼伝票８を有し、依頼伝票８は複数枚複写式の伝票であって、車名・グレード・排気量・ドア形式などを記載する車名等欄８ａ、年式について記載する年式欄８ｂ、シフトの形式を記載するシフト欄８ｃ、車体の色を記載する色欄８ｄ、走行距離・ハートップ又はセダンなどの情報・ナビゲーションやテレビの装備、ＣＤやＭＤなどオーディオの装備などの情報を記載する備考欄８ｊ、顧客の予算に関する情報を記入する予算欄８ｅを有している。
さらに顧客に関する情報を記載する欄であって、氏名や名称を記載する氏名等欄８ｆ、住所や居所を記載する住所等欄８ｇ、電話番号・携帯電話の番号・ＦＡＸ番号・メイルアドレスなどを記載する電話等欄８ｈを有している。
【００１０】
本発明の実施例１の入札代理事務所１では、顧客から顧客が希望する中古車の希望情報を入手する。この時、入札代理事務所は顧客の希望する中古車の車名、グレード、年式、シフト、車体の色、走行距離などの希望条件に加え、排気量、４ドアや５ドアなどのドア形式、ハートップ又はセダンなどの情報、ナビゲーションやテレビの装備、ＣＤやＭＤなどオーディオの装備などの情報及び顧客の予算に関する情報、さらには顧客に関する情報を聞いて依頼伝票８に記載する。依頼伝票８は複数枚の複写式になっているが、１部を顧客にお客様控として渡し、残りは入札代理事務所１において担当者控や事務所控として使用する。
続いて、中古車ネットワーク１２のデータベースの中にある出品車のデータの中から顧客の希望条件に合う中古車の情報を抽出する。本実施例では希望条件のすべてが一致する中古車の情報を抽出することとした。
そして、同等の中古車の最近の落札価格データと過去における落札経験を合わせて検討して、顧客希望金額で落札する可能性のある出品車があれば、これらのデータを顧客に提供してどの出品車に入札するか顧客の選択を求める。
一方、顧客希望金額で落札の可能性のある出品車がな場合及び入札代理事務所１がデータを提供した中古車について顧客が入札を希望しなかった場合には、顧客に対し希望情報の変更を求め、再度データベースの中にある出品車のデータの中から顧客の希望条件に合う中古車の情報を抽出し、そのデータを顧客に提供してどの出品車に入札するか顧客の選択を求める。
顧客の選択を得た後には、入札代理事務所１において顧客の求める中古車のオークションの競りの実況中継を行いながら、オークションにおいて顧客の求める中古車に入札する。入札代理事務所１の大型モニター４によりオークションの競りの実況中継を行い、顧客は観客席５に居て競りの実況中継を観察し、競りが自分の希望金額通りの金額で入札され、公明正大に行われた結果をその場で確認する。
落札に成功した場合は、落札した中古車の登録手続きを行った後に顧客に引き渡し、対価として手数料を申し受ける。落札に失敗した場合は、さらに顧客の希望情報を確認し中古車ネットワーク１２のデータベースの中にある出品車のデータの中から顧客の希望条件に合う中古車の情報を抽出する。
本実施例では入札代理事務所１に大型の窓６を設たので、大型モニター４の実況中継とこれを観察する顧客の様子を、外部の通行人が見ることができる。このため、通行人は入札代理業務が公明正大に行われていること及び中古車の入札代理業務について一目で理解することが可能であり、また外から気兼ねなく見学をすることができる、入札代理業務に興味を持った通行人の口コミによるＰＲ効果は著しく高い。
【産業上の利用可能性】
【００１１】
本発明は、従来から行われている中古車を仕入れ顧客に販売する産業においても利用可能性を有しているが、従来にはない新たなサービス産業として独自の利用可能性を有するものである。
【図面の簡単な説明】
【００１２】
【図１】中古車ネットワークの構成を示した模式図である。
【図２】入札代理事務所の正面図である。
【図３】入札代理方法の工程図である。
【図４】依頼伝票の正面図である。
【符号の説明】
【００１３】
１  ：入札代理事務所        ２  ：コンピュータ          ３  ：入札端末
４  ：大型モニター          ５  ：観客席                ６  ：大型の窓
７  ：出入口                ８  ：依頼伝票              ８ａ：車名等欄
８ｂ：年式欄                ８ｃ：シフト欄              ８ｄ：色欄
８ｅ：予算欄                ８ｆ：氏名等欄              ８ｇ：住所等欄
８ｈ：電話等欄              ８ｊ：備考欄              １１  ：オークション会場
１２  ：中古車ネットワーク  １３  ：中古車業者
【図１】
2005316796.tif 000003
【図２】
2005316796.tif 000004
【図３】
2005316796.tif 000005
【図４】
2005316796.tif 000006